(57)【要約】【課題】  見る人が剥製に感じる不快感を払拭し、飲食店や美容室、服飾関係の店舗等にもインテリアのオブジェとして飾ることが可能な剥製の製造方法及びそれにより製造した剥製を提供することを目的としたものである。【解決手段】  剥製の体毛に染色１ａ・脱色１ｂ・パーマ１ｃ等を施すことで毛色や毛質を変えるための毛色・毛質の加工工程１と、剥製の顔や体に装飾をする本体の装飾工程２と、装飾を施したフレームに剥製を固定するフレーム取付工程３により製造することを特徴とする剥製の製造方法とした。【選択図】図１
2009113365.tif 000002
【特許請求の範囲】
【請求項１】
剥製に染色、脱色、パーマ等を施すことで剥製の毛色や毛質を加工する毛色・毛質の加工工程と、前記加工工程後に剥製の角・顔・体に立体模様を付け、体毛にビーズ等の装飾を施し、造花を貼り付ける本体の装飾工程と、前記本体の装飾工程後に額や鏡等のフレームに装飾を施しフレームに剥製を固定するフレーム取付工程とからなることを特徴とする剥製の製造方法。
【請求項２】
剥製の染色や脱色を施すことのできない角等にペンキやスプレーを用いて色を付け絵を描く角等の塗装工程を加えたことを特徴とする請求項１に記載の剥製の製造方法。
【請求項３】
剥製の目にビーズ、石を貼り付け、絵を描くことによる目の装飾工程を加えたことを特徴とする請求項１乃至請求項２に記載の剥製の製造方法。
【請求項４】
剥製の角にチェーン、かんざし又はオブジェ、針金等を用いて装飾を施す角の装飾工程を加えたことを特徴とする請求項１乃至請求項３に記載の剥製の製造方法。
【請求項５】
剥製の毛色・毛質を加工し、本体の装飾をし、必要に応じて角等の塗装、目の装飾、角の装飾を加え、フレームに取り付けたことを特徴とする請求項１乃至請求項４に記載の剥製の製造方法により製造したことを特徴とする剥製。
【発明の詳細な説明】
【技術分野】
【０００１】
本発明は、剥製の毛色や毛質を加工し、本体或いは角、目等に装飾を施しフレームを取り付ける各工程を経て剥製を製造することで剥製に対する不快感を払拭しインテリアとして使用することを可能とした剥製の製造方法及びその製造方法により製造した剥製に関するものである。
【背景技術】
【０００２】
従来の剥製は、狩猟した鹿、イノシシ、鳥等の動物そのままの姿を保存し飾っておくために、動物本来の姿が分かる表皮を残して内蔵等を除去し、防腐加工を施して皮の内部に綿や樹脂等による詰め物をすることで剥製を製造している。
【０００３】
しかしながら、動物を剥製にすることに対する残酷さや生々しさから剥製に対して不快感を感じる人も多く、一般の飲食店等の店舗にインテリアとして置くことに抵抗を感じる場合も多い。
【０００４】
例えば、特許文献１に記載のように自分が共に生活しかわいがっていたペットが亡くなった後にペットそっくりに作成した立体模型の表面にその動物の体毛を覆わせることで、亡くなったペットを剥製として残す際に感じる悲壮で生々しいイメージを排除し、ペットを亡くした悲しみを和らげ心を癒す効果を得る技術も提供されているが、野生の動物ましてや自分のペットでもない動物を剥製にしインテリアとして飾ることに対する不快感を強く感じる人は多い。
【特許文献１】特開２００５−１６８８７８号
【発明の開示】
【発明が解決しようとする課題】
【０００５】
そこで、本発明は、見る人が剥製に感じる不快感を払拭し、飲食店や美容室、服飾関係の店舗等にもインテリアのオブジェとして飾ることが可能な剥製の製造方法及びそれにより製造した剥製を提供することを目的としたものである。
【課題を解決するための手段】
【０００６】
本発明は、上記の課題を解決するために、剥製の毛に染色１ａ、脱色１ｂ、パーマ１ｃを施すことで毛色や毛質を変えるための毛色・毛質の加工工程１と、剥製の顔や体に立体模様を付ける２ａ、体毛にビーズ等の装飾２ｂをする、造花を貼り付ける２ｃによる本体の装飾工程２と、額や鏡等のフレームに装飾３ａし、フレームに剥製を固定するフレーム取付工程３の各工程により製造することを特徴とする剥製の製造方法とした。
【０００７】
さらに、必要に応じて上記の毛色・毛質の加工工程からフレーム取付工程の他に、染色１ａやパーマ１ｃができない角等にペンキ４ａやスプレー４ｂで色を付ける角等の塗装工程４、目にビーズや石を貼り付け５ａたり、絵を描く５ｂをする目の装飾工程５、角にチェーン６ａ、かんざし・オブジェ６ｂ、針金６ｃで装飾をする角の装飾工程６の各工程を加えることを特徴とする剥製の製造方法及び毛色・毛質の加工工程から角の装飾工程の各工程を経て製造したことを特徴とする装飾した剥製２２とした。
【発明の効果】
【０００８】
本発明は、毛色・毛質の加工工程からフレーム取付工程の各工程及び必要に応じて角等の塗装工程から角の装飾工程を加えた各工程による剥製の製造方法で毛色や毛質を変化させ、顔・目・角等の各部に装飾を施すことで生々しく残酷さを感じる動物の剥製というよりも芸術的なオブジェとしての主観を高め、剥製に対する不快感を払拭し、飲食店や美容室、服飾関係の店舗にもインテリアとして飾ることが可能となる。
【発明を実施するための最良の形態】
【０００９】
本発明である剥製の製造方法は、毛色・毛質の加工工程からフレーム取付工程の各工程及び必要に応じた角等の塗装工程から角の装飾工程までの各工程を経て剥製を製造することで、不快感を払拭した芸術的なオブジェとして剥製を製造し、前記剥製の製造方法はどんな動物や鳥にも応用することができるため、鹿、イノシシ、鳥などオブジェとして飾る場所に応じて様々な動物の剥製を製造することができる。
【実施例１】
【００１０】
図１は、本発明である剥製の製造方法のフロー図である。図１に示すように、本発明である剥製の製造方法は、毛色・毛質の加工工程１、本体の装飾工程２、フレーム取付工程３と、前記毛色・毛質の加工工程からフレーム取付工程に必要に応じて加えることができる塗装工程４、目の装飾工程５、角の装飾工程６の各工程により構成されている。以下に図２から図７の図面を用いて各工程の詳細について説明する。
【００１１】
図２は、本発明である剥製の製造方法の毛色・毛質の加工工程を示す図である。この毛色・毛質の加工工程１では、剥製７の毛色や毛質を変化させる。
【００１２】
剥製の毛色を変化させるには、剥製７の顔８、耳９、９ａ、首１２等、体毛の部分にヘアカラー剤を用いて染色１ａしたり、ブリーチ剤を用いて脱色１ｂをする方法がある。図２に図示したのは鹿の剥製７の顔８の部分にヘアカラー１３を用いて染色１ａしている状態である。
【００１３】
また、毛色・毛質の加工工程１では剥製７の顔８や首１２等の体毛の部分にパーマ１ｃを施して毛質を変化させても良い。例えばパーマ１ｃを施してウェーブを加えたり、ストレートパーマを施して体毛をストレートにし本来よりも長く見せたりすることも可能である。
【００１４】
このように剥製７本来の毛色や毛質を変化させることで、その動物本来の特徴が変化し、剥製の持つ生々しさが和らぎオブジェとしての感覚が強くなる。
【００１５】
図３は、本発明である剥製の製造方法の本体の装飾工程を示す図である。この本体の装飾工程２では、剥製７の顔８や首１２等、剥製７全体に装飾をする工程である。
【００１６】
本体の装飾工程２で剥製７全体に装飾をするには、剥製７の顔８、耳９、９ａ、角１０、１０ａ及び首１２等に接着剤で絵や模様を描いてその部分にビーズや石等を貼り付けることで立体模様を付ける２ａ、体毛にビーズ等で装飾２ｂをしたり、接着剤を用いて造花を貼り付ける２ｃ等ができる。
【００１７】
図３に示した鹿の剥製７の例では、顔８及び首１２に接着剤で描いた図柄にビーズ１４を貼り付けて立体模様を付ける２ａをし、耳９及び角１０の部分に造花１５を貼り付けて装飾を施した。
【００１８】
この時、立体模様を付ける２ａのは、顔８や首１２に限らずどの部分に付けても良いし、その模様は任意で描けばよい。また体毛にビーズで装飾２ｂしたり、造花を貼り付ける２ｃのも、必要に応じて装飾を施せばよい。
【００１９】
図４は、本発明である剥製の製造方法のフレーム取付工程を示す図である。このフレームの取付工程３では、毛色・毛質の加工工程及び本体の装飾工程を経て装飾を施した剥製７をフレーム１６に取り付ける工程である。
【００２０】
剥製７を取り付けるフレーム１６には額や鏡等を用いる。必要に応じて前記フレーム１６の装飾３ａをしても良い。例えば、図５に図示したように本体の装飾工程２で剥製に造花１４を貼り付ける２ｃ装飾をしていれば、フレーム１６にも同様の造花１４を貼り付けたり、似たような花柄の彫刻を施しても良い。また、ビーズやリボンを貼り付けて装飾することも可能である。
【００２１】
その後、フレーム１６に剥製７を固定３ｂする。即ち、前記装飾したフレーム１６内に毛色・毛質の加工工程及び本体の装飾工程を経て装飾を施した剥製７をビス、釘又は接着剤等を使用して固定し、フレーム１６ごと壁に掛けられるようにするのである。
【００２２】
以上のように、毛色・毛質の加工工程１、本体の装飾工程２及びフレームの取付工程３を経て装飾を施した剥製を製造することが本発明である剥製の製造方法の特徴であり、動物本来の毛色や毛質を変化させた上でビーズ等による装飾を施すことで、見る人にとっては生々しい動物の剥製というよりもオブジェとしての感覚が強くなる。
【実施例２】
【００２３】
図５はね本発明である剥製の製造方法の角等の塗装工程を示す図である。本発明である剥製の製造方法の角等の塗装工程４は、実施例１に説明した剥製の製造方法に必要に応じて加えることが可能な工程である。
【００２４】
例えば、図５に示した鹿の剥製７の場合、顔８、耳９、９ａ、首１２等の体毛に覆われた部分は毛色・毛質の加工工程１で毛色や毛質を変化させることができるが、角１０、１０ａは毛色・毛質の加工工程１の方法であるヘアカラー剤による染色１ａ、ブリーチ剤による脱色１ｂを施すことは無理である。
【００２５】
そこで、角等の塗装工程４では、ペンキ１７を使用して角に塗装４ａや絵を描いたり、スプレー１８を使用して角に塗装４ｂをする。この角等の塗装工程４は角に限らず、鼻先、歯或いは牙等の体毛に覆われていない部分に塗装や絵を描く工程であり、動物の種類等によって必要がある場合に加えればよい工程である。
【実施例３】
【００２６】
図６はね本発明である剥製の製造方法の目の装飾工程を示す図である。本発明である剥製の製造方法の目の装飾工程５は、実施例１及び実施例２に説明した剥製の製造方法に必要に応じて加えることが可能な工程である。
【００２７】
従来の剥製の場合、目にはガラス玉やプラスチック等の義眼を使用する。しかしその義眼が剥製の生々しさや気持ち悪さを増長し、より不快感を感じる場合もある。そこで、目の装飾工程５では、剥製７の目１１、１１ａにビーズや石を貼り付け５ａしたり、絵を描く５ｂする等して、義眼の印象を変える工程である。
【００２８】
図６に図示した例では、剥製７の目１１、１１ａにビーズ１９を接着剤で貼り付けて装飾した。この時、本発明である剥製の製造方法の毛色・毛質の加工工程１で変更した毛色や毛質の印象に合わせてビーズ１９や石を貼り付け５ａしたり、絵を描く５ｂ等すればよい。
【実施例４】
【００２９】
図７は、本発明である剥製の製造方法の角の装飾工程を示す図である。本発明である剥製の製造方法の角の装飾工程６は、実施例１から実施例３に説明した剥製の製造方法に必要に応じて加えることが可能な工程である。
【００３０】
例えば、図７に示した剥製７の場合、長い角１０、１０ａを持っている。この角は先に述べた本発明である剥製の製造方法の角等の塗装工程４でペンキ４ａ或いはスプレー４ｂを用いて色を変更したり模様を描いていても構わない。
【００３１】
この角の装飾工程６とは、前記角１０、１０ａに穴を開けてチェーン６ａを接続したり、前記チェーン６ａにかんざしやオブジェ６ｂを取り付けたり、針金６ｃを用いて角に装飾を施す工程である。
【００３２】
図７に示した剥製７のように、角１０、１０ａにアクセサリーのようにオブジェ２０やチェーン２１を取り付けて装飾することで、剥製をより芸術的なオブジェのような印象にすることができる。
【実施例５】
【００３３】
図８は、本発明である剥製の製造方法により製造した剥製を示す図である。図８に示す剥製２２は、これまでに説明した剥製の製造方法の各工程、即ち、毛色・毛質の加工工程１、本体の装飾工程２、フレーム取付工程３、さらに角等の塗装工程４、目の装飾工程５、角の装飾工程６の各工程を経て製造した剥製２２である。
【００３４】
毛色・毛質の加工工程１で顔８や首１２等の体毛をヘアカラーで染色１ａして毛色を変更し、前記毛色・毛質の加工工程１で色を変更することのできない体毛に覆われていない角１０、１０ａ等は、角等の塗装工程４でペンキ４ａ等により色を変更し、前記工程で変更した毛色や角の色に合わせて目の装飾工程５で目１１、１１ａにビーズを貼り付け５ａして目を装飾し、本体の装飾工程２で顔８にビーズを貼り付けることで立体模様を付け２ａて、角の装飾工程６で角１０、１０ａにチェーン６ａやオブジェ６ｂを接続することで角を装飾し、フレーム取付工程３で額の装飾３ａをしたフレーム１６に剥製を固定３ｂして剥製２２を完成させる。
【００３５】
もちろん、これまでに説明したように、毛色・毛質の加工工程１、本体の装飾工程２、フレーム取付工程３での方法や、角等の塗装工程４、目の装飾工程５、角の装飾工程６については、必要に応じて行えばよく、常に全ての工程を経て剥製を製造しなければいけないものではない。
【００３６】
このように、必要に応じた各工程による装飾を施すことで完成した剥製２２は、本来の剥製の持つ生々しさや残酷さを排除し、見る人には芸術的なオブジェとしての印象を強く与えることで、より多くの人に受け入れられ、飲食店や服飾関係の店舗等にもインテリアとして飾ることのできる剥製２２とすることができる。
【図面の簡単な説明】
【００３７】
【図１】本発明である剥製の製造方法のフロー図である。
【図２】本発明である剥製の製造方法の毛色・毛質の加工工程を示した図である。
【図３】本発明である剥製の製造方法の本体の装飾工程を示した図である。
【図４】本発明である剥製の製造方法のフレーム取付工程を示した図である。
【図５】本発明である剥製の製造方法の角等の塗装工程を示した図である。
【図６】本発明である剥製の製造方法の目の装飾工程を示した図である。
【図７】本発明である剥製の製造方法の角の装飾工程を示した図である。
【図８】本発明である剥製の製造方法により製造した剥製を示す図である。
【符号の説明】
【００３８】
１            毛色・毛質の加工工程
１ａ          染色
１ｂ          脱色
１ｃ          パーマ
２            本体の装飾工程
２ａ          角・顔・体に立体模様を付ける
２ｂ          体毛にビーズ等の装飾
２ｃ          造花を貼り付ける
３            フレーム取付工程
３ａ          額・鏡等のフレームの装飾
３ｂ          フレームに剥製を固定
４            角等の塗装工程
４ａ          ペンキ
４ｂ          スプレー
５            目の装飾工程
５ａ          ビーズ・石の貼り付け
５ｂ          絵を描く
６            角の装飾工程
６ａ          チェーン
６ｂ          かんざし・オブジェ
６ｃ          針金
７            剥製
８            顔
９、９ａ      耳
１０、１０ａ    角
１１、１１ａ    目
１２            首
１３            ヘアカラー
１４            ビーズ
１５            造花
１６            フレーム
１７            ペンキ
１８            スプレー
１９            ビーズ
２０            オブジェ
２１            チェーン
２２            装飾した剥製
【図１】
2009113365.tif 000003
【図２】
2009113365.tif 000004
【図３】
2009113365.tif 000005
【図４】
2009113365.tif 000006
【図５】
2009113365.tif 000007
【図６】
2009113365.tif 000008
【図７】
2009113365.tif 000009
【図８】
2009113365.tif 000010